(57)【要約】流体用ホースを巻き上げるホースリールが開示される。前記ホースリールは、ホースリールが上に巻き上げられるドラム（１００）であって、成形され、また、一体成形部品として、中心軸（１１０）に配置されたスイベルコネクタ（１２０）であって、前記ドラムが前記中心軸の周りを回転可能である、スイベルコネクタと、前記中心軸（１１０）と同軸の中央流路（１３０）と、前記中央流路から半径方向に延在する半径方向流路（１４０）と、を備えるドラムと、流体の供給源用スイベル（２００）であって、前記スイベルコネクタに接続されるスイベルとを備える。ホースをホースリールに接続する方法が開示される。当該方法は、前記ドラムを回転させて前記コネクタ（３００）を前記ハウジング（４００）の前記開口部（４１０）に整列させるステップと、ホースを前記コネクタに接続するステップ、あるいは、前記ホースを接続する前に、既に存在するホースを解放するステップとを含む。【選択図】図１
2019535615.tif 000002
【特許請求の範囲】
【請求項１】
ホースリールが上に巻き上げられるドラム（１００）であって、成形され、また、一体成形部分として、
中心軸（１１０）に配置されたスイベルコネクタ（１２０）であって、前記ドラムが前記中心軸の周りを回転可能である、スイベルコネクタと、
前記中心軸（１１０）と同軸の中央流路（１３０）と、
前記中央流路から半径方向に延在する半径方向流路（１４０）と、を備えるドラム（１００）と、
流体の供給源用の供給ホースを接続するスイベル（２００）であって、前記スイベルコネクタに接続されるスイベル（２００）と、を備える、
流体用ホースを巻き上げるホースリール。
【請求項２】
前記半径方向流路を前記ホースリール上に巻き上げられる前記ホースに接続するコネクタ（３００）をさらに備える、請求項１に記載のホースリール。
【請求項３】
前記コネクタが前記ドラムに嵌合された形であり、また、前記コネクタが前記ドラムの部分と前記ドラムを通る流体流路の部分とである、請求項２に記載のホースリール。
【請求項４】
前記コネクタが第１の流路（３１０）と第２の流路（３２０）とを備え、前記第１の流路と前記第２の流路とは一端で接続され、互いの間に４５度〜１３５度の範囲内の角度（３３０）を形成する、請求項２または３に記載のホースリール。
【請求項５】
前記スイベルおよび／または前記コネクタは、以下の群：
それぞれ前記供給源および／または前記ホースを接続する、Ｕ字形ホルダ（２４０、３４０）、
クランプ、
クイックフィット式連結器、または
ニップルのうちの１つを備える、
請求項１〜４のいずれか一項に記載のホースリール。
【請求項６】
前記ホースリールが、前記ドラムを収容するハウジング（４００）をさらに備え、前記ハウジングは前記コネクタへのアクセスを可能にする開口部（４１０）をさらに備える、請求項２〜５のいずれか一項に記載のホースリール。
【請求項７】
前記ドラムがドラムストップ開口部（１５０）を備え、前記ハウジングがハウジングストップ開口部（４５０）を備え、前記ドラムストップ開口部と前記ハウジングストップ開口部とは前記コネクタが前記ハウジングの前記開口部と整列する位置で互いに整列するよう配置される、請求項６に記載のホースリール。
【請求項８】
前記ハウジングが第１の部分（４２０）と第２の部分（４３０）とを備え、前記第１の部分は中心軸上に前記ドラムを支持する軸（４４０）を備え、また、前記第２の部分は前記スイベルを保持する手段（４６０）を備える、請求項６または７のいずれか一項に記載のホースリール。
【請求項９】
前記スイベルと、前記中央流路と、前記半径方向流路と、前記コネクタの前記第１の流路と前記第２の流路とは一緒に前記流体用の連続的流路を形成する、請求項２〜８のいずれか一項に記載のホースリール。
【請求項１０】
前記ドラムが、第１のドラム部分（１６０）と、第２のドラム部分（１７０）と、前記コネクタとを備え、前記コネクタは、前記ドラム部分の１つに嵌合された形である、請求項１〜９のいずれか一項に記載のホースリール。
【請求項１１】
前記コネクタが前記ドラムの完全に内側に配置される、請求項１〜１０のいずれか一項に記載のホースリール。
【請求項１２】
前記ドラムを回転させて（５１０）前記コネクタ（３００）を前記ハウジング（４００）の前記開口部（４１０）と整列させるステップと、
ホース（３０）を前記コネクタに接続する（５２０）ステップ、あるいは、前記ホースを接続する前に、既に存在するホースを解放するステップとを含む、
請求項２〜１１のいずれか一項に記載のホースリールにホースを接続する方法。
【請求項１３】
ホースを請求項７〜１１のいずれか一項に記載の前記ホースリールに接続する場合、
前記ドラム（１００）を回転させて（５１０）前記コネクタ（３００）を前記ハウジング（４００）の前記開口部（４１０）と整列させるとき、（また、さらに）前記ドラムストップ開口部（１５０）を前記ハウジングストップ開口部と整列させる（５３０）工程と、
対象物（例えば、スクリュードライバー、スティック、釘等）を前記ドラムストップ開口部（１５０）と前記ハウジングストップ開口部（４５０）との中へと挿入して（５４０）、前記ハウジング（４００）に対して前記ドラム（１００）をロックする（前記ドラムの相対的回転を停止する）工程とをさらに備える、
請求項１２に記載の方法。
【請求項１４】
前記流体の供給源から前記スイベル（２００）までホース（２０）を接続する（５５０）工程をさらに備える、請求項１２または１３に記載の方法。
【請求項１５】
Ｕ字形ホルダ（２４０、３４０）、クランプ、クイックフィット式連結器またはニップルのうちの１つ以上を用いて、前記スイベル（２００）または前記コネクタ（３００）にホース（２０、３０）を取り付ける（５６０）工程をさらに備える、請求項１２〜１４のいずれか一項に記載の方法。
【発明の詳細な説明】
【技術分野】
【０００１】
本開示はホースリールに関する。より詳細には、本開示は、流体用ホース用ホースリールと、ホースをそのようなホースリールに接続する方法に関する。
【背景技術】
【０００２】
ホースリールを使用してホースの巻き上げ巻き取りを行う。例えば圧縮空気等の流体を使用しなければならない場合には、当該流体を供給するホースを巻き上げて、ホースを収納して安全に保管する。ホースは、必要に応じて巻き出され、その後、収納する際には、巻き上げられる。使用可能かつ便利な方法で特定の領域に流体用ホースを設けることは常に困難であった。
【０００３】
最近、ホースリールを通過する流体の流量に注目が集まっている。ホースリールは回転するが、ホースリールへの流体供給は変化がない。ホースリールへの流体の接続と、ホースリールを通る流体の流れは、流体の流れを減少させる。最近、ホースリール上に巻き上げられたホースを交換または取り替えることは、不可能ではないにしても非常に面倒であるという事実にも注目が集まっている。したがって、これらの課題の解決と、ホースリールを通る流体の流れとホースリールへの接続性の改善とが望まれている。
【０００４】
また、製造が安価であり、製造が容易な、ロバストなホースリールを提供することが望ましい。ホースリールは、また、優良かつ信頼性の高いホースリールを通る流れを提供できなければならない。本開示は、上記課題のうち１つ又は複数の課題の解決を目的とする。
【発明の概要】
【発明が解決しようとする課題】
【０００５】
本発明の目的は、流体用ホースを巻き上げるホースリールと、ホースをホースリールに接続する方法とを提供することである。この課題は、独立請求項において定義する発明特定事項によって達成することが可能である。更なる付加拡張機能は、従属項において規定する。
【課題を解決するための手段】
【０００６】
一実施形態によれば、流体用ホースを巻き上げるホースリールが開示される。流体は、液体と気体とを含む。ホースリールは、ホースが上に巻き上げられるドラムと、流体の供給源用のスイベルとを備える。ドラムは成形され、また、一体成形部分として、中心軸に配置されたスイベルコネクタであって、ドラムが中心軸を中心に回転可能であるスイベルコネクタと、中心軸と同軸の中央流路と、中央流路から半径方向に延在する半径方向流路とを備える。スイベルはスイベルコネクタに接続される。
【０００７】
一実施形態によれば、ホースリールは、半径方向流路を、ホースリール上に巻き上げられるホースに接続するコネクタ３００をさらに備える。コネクタはドラムに嵌合された形であることができ、また、コネクタはドラムの部分とドラムを通る流体流路の部分とであることができる。
【０００８】
一実施形態によれば、コネクタは第１の流路と第２の流路とを備えることができ、第１の流路と第２の流路とは一端で接続され、互いの間に４５度〜１３５度の範囲内の角度を形成する。好ましくは、この角度は約９０度である。
【０００９】
一実施形態によれば、スイベルおよび／またはコネクタは、以下の群：それぞれ供給源および／またはホースを接続する、Ｕ字形ホルダ、クランプ、クイックフィット式連結器、またはニップル、のうち１つを備えることができる。
【００１０】
一実施形態によれば、ホースリールは、ドラムを収容するハウジング４００をさらに備え、ハウジングはコネクタへのアクセスを可能にする開口部４１０を備える。
【００１１】
一実施形態によれば、ドラムはドラムストップ開口部を備え、ハウジングはハウジングストップ開口部を備え、ドラムストップ開口部とハウジングストップ開口部とは、コネクタがハウジングの開口部と整列する位置で互いに整列するよう配置される。
【００１２】
一実施形態によれば、ハウジングは第１の部分と第２の部分とを備え、第１の部分は中心軸上にドラムを支持する軸を備え、また、第２の部分はスイベルを保持する手段を備える。
【００１３】
一実施形態によれば、ホースリールは、スイベルと、中央流路と、半径方向流路と、コネクタの第１の流路と第２の流路とによって一緒に形成された流体用の連続的流路を備える。一実施形態によれば、流体用の連続的流路は、スイベル、中央流路、半径方向流路、およびコネクタの第１の流路と第２の流路とから成る。
【００１４】
一実施形態によれば、ドラムは、第１のドラム部分と、第２のドラム部分と、コネクタとを備え、当該コネクタは、ドラム部分のうち１つに嵌合された形である。
【００１５】
一実施形態によれば、コネクタはドラムの完全に内側に配置される。
【００１６】
一実施形態によれば、先の実施形態のいずれか１つによる、ホースをホースリールに接続する方法が開示される。当該方法は、ドラムを回転させてコネクタをハウジングの開口と整列させるステップと、ホースをコネクタに接続するステップ、あるいは、ホースをコネクタに接続する前に、既に存在するホースを解放するステップとを含む。
【００１７】
一実施形態によれば、ストップ開口部を有する先の実施形態のいずれか１つによりホースをホースリールに接続する場合、当該方法は、ドラムを回転させてコネクタをハウジングの開口部と整列させるとき、ドラムストップ開口部をハウジングストップ開口部と整列させる工程をさらに含む。当該方法は、対象物（例えば、スクリュードライバー、スティック、釘、または同様の物）をドラムストップ開口部とハウジングストップ開口部との中へと挿入してハウジングに対してドラムをロックする工程をさらに含む。
【００１８】
一実施形態によれば、当該方法は、流体の供給源からスイベルまでホースを接続する工程をさらに含むことができる。
【００１９】
一実施形態によれば、当該方法は、Ｕ字形ホルダ、クランプ、クイックフィット式連結器、またはニップルのうち１つ以上を用いて、スイベルまたはコネクタにホースを取り付ける工程をさらに含むことができる。
【００２０】
本明細書で開示する１つ以上の実施形態は、ホースリールを通る途切れのない流体の流れを有するホースリールを提供する。少なくとも１つの実施形態は、製造が安価であり、製造が容易である、ロバストなホースリールを提供する。少なくとも１つの実施形態は、ホースを交換、またはホースをホースリールに接続する方法を提供する。
【００２１】
上記の実施形態のうち少なくとも１つによれば、背景技術の問題点および課題への１つ以上の解決策を提供する。本開示における他の技術的利点については、以下の説明および特許請求の範囲から、当業者にとって容易に明白になるであろう。本出願における様々な実施形態に関する記載は、利点の一部を記述するに過ぎない。いずれの利点も実施形態に必要不可欠なものではない。本明細書に記載した請求項に係る任意の実施形態は、本明細書に記載した請求項に係る任意の別の実施形態と技術的に組み合わせてもよい。
【００２２】
添付図面は、現時点における本開示の実施形態を例示するものであり、上述した概要や、実施形態に関する以下の詳細な説明と相まって、例として本開示の原理を説明するのに役立つ。
【図面の簡単な説明】
【００２３】
【図１】図１は、本開示の例示的な実施形態によるホースリールの概略図である。
【図２】図２は、本開示の例示的な実施形態によるホースリールの詳細の概略図である。
【図３】図３は、本開示の例示的な実施形態によるホースリールの概略図である。
【図４】図４は、本開示の例示的な実施形態による、ホースをホースリールに接続する方法の概略図である。
【発明を実施するための形態】
【００２４】
図１〜図３は、本開示の例示的な実施形態によるホースリールの概略図である。ホースリール１０は、流体用ホース３０の巻き上げ用である。流体は液体と気体とを含み、例えば、水、空気、圧縮空気、燃料等を含む。ホースリールは、その上に巻き上げられるホース３０用のドラム１００を備える。ドラム１００は、ハウジング４００内に回転可能に配置され得る。ドラム１００は成形され、好ましくは射出成形される。ドラム１００は１つの部分として、または、２つ以上の部分として成形される。ドラム１００は、一体成形部分として、ドラム１００が成形されると同時に成形され、ドラム１００の成形プロセスと同じ成形プロセスにおいて成形される、スイベルコネクタ１２０と、中央流路１３０と、半径方向流路１４０とを備える。一実施形態によれば、ドラム１００またはドラム１００の一部は、一体成形部分として、スイベルコネクタ１２０と、中央流路１３０と、半径方向流路１４０とを備え、これら３つのすべてがドラム１００またはドラム１００の部分と同じ成形プロセスで成形される。
【００２５】
スイベルコネクタ１２０は中心軸１１０に配置される。ドラム１００は中心軸１１０の周りを、ハウジング４００に対し回転可能である。スイベルコネクタ１２０は中心軸１１０の部分であることができる。中央流路１３０は中心軸１１０と同軸である。半径方向流路１４０は、中央流路１３０から半径方向に延在する。スイベルコネクタ１２０と、中央流路１３０と、半径方向流路１４０とはドラム１００内の流体用の連続的流路として接続され得る。この点につき、ホースリールを通る流路を示す図２における黒い矢印を参照されたい。
【００２６】
ホースリールは、流体の供給源用スイベル２００をさらに備え、スイベル２００はスイベルコネクタ１２０へ接続される。スイベル２００は、流体の供給源からスイベルを通って、スイベルコネクタ１２０と、中央流路１３０と、半径方向流路１４０とへ流体を供給するスイベルコネクタ１２０に配置され得る。スイベル２００は、固定部分から回転部分まで流体を導く構成要素である。この例示的な実施形態では、スイベル２００がホース２０を介して固定された流体供給源に接続される。この例示的な実施形態では、スイベル２００はまた、ねじ４６０を用いて、固定されたハウジング４００、例えばハウジング部分４３０に接続される。スイベル２００はスイベルコネクタ１２０に接続され、回転可能なドラム１００の周りに巻かれたホース３０に流体を供給する。その結果、スイベル２００は直接ドラム１００に配置／ドラム１００と結合され得る。スイベル２００を通る流体の流れは、ドラム１００を通る流体の流れの中央流路１３０と直接結合され得る。
【００２７】
一実施形態によれば、ホースリールは半径方向流路１４０を、ホースリールに巻き上げられるホース３０に接続するコネクタ３００をさらに備えることができる。コネクタ３００は、ドラム１００の別個の部分、すなわち、ドラム１００の一体成形部分ではない部分であることができる。コネクタ３００は、ドラム１００を通る流体の流れを、ドラム１００の周りに巻き上げられるホース３０に接続することができる。コネクタ３００は、流体供給源から巻き上げられるホース３０への連続的流路、すなわち、流体供給源からホース２０を介して、スイベル２００と、スイベルコネクタ１２０と、中央流路１３０と、半径方向流路１４０と、コネクタ３００と、巻き上げられるホース３０とへの連続的流路の一部であってもよい。一実施形態によれば、ホースリールを通る流路はこれらから成る。；ホースリールを通る流路を示す図２の黒い矢印を参照されたい。
【００２８】
一実施形態によれば、コネクタ３００は、ドラム１００に嵌合された形である。すなわち、コネクタ３００の形状はドラム１００の開口部に嵌合し、当該形状と当該開口部とは互いに合うように作られる。さらに、例えばねじ、スナップフィット、または同様のもの等の締結手段により、コネクタ３００がドラム１００内に固定され得る。コネクタ３００はドラム１００の部分であり、コネクタ３００もまたドラム１００を通る流体の流路の部分である。ドラム１００を通る流体用流路は、一実施形態によれば、スイベル２００を通る流路と、スイベルコネクタ１２０を通る流路と、中央流路１３０と、半径方向流路１４０と、コネクタ３００を通る流路とを備える。
【００２９】
一実施形態によれば、コネクタ３００は、好ましくは直線状である第１の流路３１０と、好ましくは直線状である第２の流路３２０とを備える。第１の流路３１０と第２の流路３２０とは一方の端部で接続され、それらは互いの間に４５度〜１３５度の範囲内の角度３３０を形成する。これは、第１の流路３１０を通る流れと第２の流路３２０を通る流れとが黒い矢印で示されている図２から最もよく分かるであろう。一実施形態によれば、角度３３０は好ましくは９０度、または約９０度、または約８０度〜約１００度、または７０度〜１１０度である。第１の流路３１０と第２の流路３２０との他方の端部は、半径方向流路１４０と、巻き上げられるホース３０にとそれぞれ接続され得る。
【００３０】
一実施形態によれば、スイベル２００とコネクタ３００とのそれぞれは以下の群：それぞれ供給源および／またはホースを接続する、Ｕ字形ホルダ２４０、３４０、クランプ、クイックフィット式連結器、またはニップル、のうちの１つを備えることができる。スイベル２００に接続されるホース２０を使用することにより、好ましくは供給源への接続がなされる。ニップルは、クイックフィット式連結器等の連結用ニップルであることができる。Ｕ字形ホルダ２４０、３４０は、ホース２０、３０の端部を、その２本の脚の真ん中部分により保持し、一方、Ｕ字形ホルダの頂部と底部とは、ドラム１００、スイベル２００、またはコネクタ３００内にそれぞれ固定される。このようにして、ホース２０、３０がホースリール１０に固定され得る。このようにして、スイベル２００がスイベルコネクタ１２０に接続され得る。
【００３１】
一実施形態によれば、ホースリール１０は、ドラム１００を収容するハウジング４００をさらに備える。ハウジング４００は、コネクタ３００へのアクセスを可能にする開口部４１０を備える。ドラム１００内のコネクタ３００が、ハウジング４００内の開口部４１０を通ってユーザによってアクセスされて、ホース３０を接続し、または接続を断つことができる。このようにして、ホース３０が使用され、または接続されたとき、ハウジング４００がドラム１００から取り除かれることはない。
【００３２】
一実施形態によれば、ドラム１００はドラムストップ開口部１５０を備え、ハウジング４００はハウジングストップ開口部４５０を備える。これは図１に最もよく示される。ドラムストップ開口部１５０とハウジングストップ開口部４５０とは、コネクタ３００がハウジング４００の開口部４１０と整列する位置に互いに整列するよう配置される。ドラムをハウジング４００に対して回転させることによって、２つのストップ開口部１５０、４５０が整列させられる。続いて、例えばスクリュードライバー等の対象物が両方のストップ開口部１５０、４５０内に挿入され得る。これによって、ドラム１００は、ハウジング４００に対して、ユーザがハウジング４００の開口部４１０を通ってコネクタ３００にアクセスできる位置にロックされる。ドラム１００がばね負荷されてホースを巻き直し得ることから、これらストップ開口部１５０、４５０はコネクタ３００にアクセスすることを容易にする。コネクタ３００にアクセスするとき、ストップ開口部１５０、４５０は、ホースリールがドラム１００を突然回転させないことを確実にする。
【００３３】
一実施形態によれば、ハウジング４００は第１の部分４２０と第２の部分４３０とを備える。第１の部分４２０と第２の部分４３０とはハウジング部分である。第１の部分４２０は中心軸１１０上にドラム１００を支持する軸線４４０を備える。これは図３から最も良くわかるであろう。第２の部分４３０は、スイベル２００を保持する手段４６０を備える。軸線４４０は支持体４４０であることができる。このようにして、ハウジング４００は、ドラム１００のハウジング４００内での中心軸の周りの相対的回転を支持する。第１の部分４２０はハウジング４００の半分であってもよく、また、第２の部分４３０はハウジング４００の残り半分であってもよい。
【００３４】
一実施形態によれば、スイベル２００を通る流路と、中央流路１３０と、半径方向流路１４０と、コネクタ３００の第１と第２の流路３１０、３２０とは一緒に、ドラム１００を通る流体用の連続的流路を形成する。連続的流路は図２における黒い矢印で示される。連続的流路は途切れの無い流体用流路であることができる。連続的流路には、連続的流路を接続または作成するのに使用される、流体の流れの中のいかなる機構も存在しなくてもよく、また、連続的流路にはいかなるサイズの縮小も存在しなくてもよい。すなわち、連続的流路には、その構成のいかなる突然の変化も存在しなくてもよく、連続的流路は連続的な形、形状、または開口部を有する。ドラムを通る、ホースリールを通る流路は、多かれ少なかれ、一定の直径を有する。すなわち、流路に沿った場所を問わず、流路を通る垂直な切断は常に円盤形状であり、流路の角を通る垂直切断は自然にある程度楕円形状である。このようにして、流体は最小の抵抗でホースリールを通って流れる。連続的流路はスイベル２００で始まることができ、コネクタ３００で終わることができる。連続的流路は、流体供給源とスイベル２００に接続されたホース２０とから、コネクタ３００に接続された、巻き上げられるホース３０への流体の流れの一部である。一実施形態によれば、連続的流路は、スイベル２００を通る流路と、中央流路１３０と、半径方向流路１４０と、コネクタ３００の第１の流路および第２の流路３１０、３２０とからなる。
【００３５】
一実施形態によれば、ドラム１００は、第１のドラム部分１６０と、第２のドラム部分１７０と、コネクタ３００とを備える。コネクタ３００は、ドラム部分１６０、１７０のうちの１つに嵌合された形であることができる。ドラム１００は、１つ以上のドラム部分を有することができる。すべて、またはいくつかのドラム部分は成型されることができる。
【００３６】
一実施形態によれば、コネクタ３００はドラム１００の完全に内側に配置される。コネクタ３００は、ドラム１００の完全に内側に嵌合された形であることができ、すなわち、半径方向にドラム１００を超えて突出しない形であることができる。コネクタ３００は、ドラム１００の底部１８０と同一平面であることができる。ドラム底部１８０は、その上で、周りにホース３０が巻き上げられる底部１８０である。コネクタ３００がドラム１００の内側にあることから、ホース３０の巻き上げに対する障害物は存在せず、コネクタ３００へのアクセスはハウジング４００の開口部４１０によって構成され得る。コネクタ３００は、ドラム１００の半径方向流路１４０に接続され得る。例えば、コネクタ３００または半径方向流路１４０のうちの一方はＴ字形であることができ、他方はそれらが接続できるよう補完的な形状であることができる。コネクタ３００と半径方向流路１４０との間の流体の漏れが無いことを確実にするため、Ｏリングまたは同様のものが使用され得る。
【００３７】
方法について見ると、図４は、本開示の例示的な実施形態による、ホースをホースリールに接続する方法の概略図である。第１の２つの方法ステップ５１０と５２０とが順番に行われ、他の方法ステップ５３０、５４０、５５０、および５６０は任意の順番に行われてもよく、また、技術的意味がある限り、第１の２つの方法のステップの前、後、または間においてさえ行われてもよい。図４において示す方法は、：ハウジング４００に対してドラム１００を回転させる第１の方法ステップ（５１０）と；ホース３０をコネクタ３００に接続する第２の方法ステップ（５２０）と；２つのストップ開口部１４０、４４０を整列する方法ステップ（５３０）と；対象物、例えばスクリュードライバーを２つのストップ開口部に挿入する方法ステップ（５４０）と；ホース２０をスイベル２００に接続する方法ステップ（５５０）と；ホースをホースリールに取り付ける方法ステップ（５６０）と、を含む。通常、ステップ５３０と５４０とはステップ５１０と５２０との間で行われる。ステップ５５０はいつ行われてもよく、ステップ５６０は通常最後に行われる。以下でさらに詳細に方法ステップについて説明する。
【００３８】
例示的な一実施形態によれば、本明細書に開示されている実施形態のうちのいずれか１つに従って、ホース３０をホースリール１０に接続する方法が開示されている。この方法は、ステップに以下：ドラム１００を回転させてコネクタ３００をハウジング４００の開口部４１０と整列させる（５１０）工程と；ホース３０をコネクタ３００に接続（５２０）し、あるいは、ホース３０を接続する前に、既に存在するホース３０を解放する工程と、を順番に含む。ドラム１００の回転５１０は、ハウジング４００に対する回転である。このようにして、ユーザは、ハウジング４００の開口部４１０を通してコネクタ３００にアクセスし、また、ホース３０をコネクタ３００すなわちドラム１００へと交換し、接続を断ち、または接続することができる。
【００３９】
一実施形態によれば、本明細書に開示される任意の実施形態に従ってホース３０をホースリールに接続するとき、当該方法は以下をさらに含む。ドラム１００を回転させて（５１０）コネクタ３００をハウジング４００の開口部４１０と整列させるとき、ドラムストップ開口部１５０もハウジングストップ開口部４５０と整列させる（５３０）。例えばスクリュードライバー、スティック、ペグ等の対象物をドラムストップ開口部１５０とハウジングストップ開口部４５０とに挿入し（５４０）、ハウジング４００に対してドラム１００をロックする。ドラムストップ開口部１５０をハウジングストップ開口部４５０とさらに整列させることによって、ドラム１００をハウジング４００に対して、（技術的に複雑な手段無しで）簡単に、かつ効果的に固定することができる。これは、当該２つがロックされ、対象物が挿入されている間、バネ負荷されたドラム１００が静止した状態でいるという技術的効果を有する。これはまた、ホースがコネクタ３００に接続されることを可能にする。
【００４０】
一実施形態によれば、当該方法は、流体の供給源からスイベル２００へホース２０を接続する（５５０）工程をさらに含むことができる。ホース２０は流体供給源をホースリールに接続できる。ホース２０のスイベル２００への接続はＵ字形ホルダ２４０を用いて行われ得る。
【００４１】
一実施形態によれば、当該方法は、Ｕ字形ホルダ２４０、３４０、クランプ、クイックフィット式連結器、またはニップルのうちの１つ以上を使用して、ホース２０、３０をスイベル２００またはコネクタ３００へ取り付ける（５６０）工程をさらに含むことができる。このようにして、ホースはホースリールに容易に接続され得る。Ｕ字形ホルダは、ホースを、非常に小さな機械的手段と非常に小さな取り付けスペースとにより、ホースリールに取り付けることを可能にする。Ｕ字形ホルダはまた、例えばハウジング４００の開口部４１０を通して、ホースリール内の限られたスペースに容易に挿入され、引き出され得る。
【００４２】
本明細書に開示されている少なくとも１つの実施形態によれば、ホースリールは、ホースリールを通る流体の途切れの無い流れを備える。少なくとも１つの実施形態は、製造が安価であり、製造が容易である、ロバストなホースリールを提供する。少なくとも１つの実施形態は、ホースを交換、またはホースをホースリールに接続する方法を提供する。ドラムの構造とそのハウジングに対する関係とが製造工程にホースリールの高品質かつ容易に制御可能な品質を生じさせる。
【００４３】
ホースリールとホースをホースリールに接続する方法とにつき、当業者が様々な修正および変形が可能であることは言うまでもない。本明細書に開示された本発明の明細書および実施から考慮すれば、本発明の他の実施形態は、当業者にとって明らかであろう。本明細書および実施例は、単なる例示に過ぎず、本発明の技術的範囲は、以下の特許請求の範囲およびその均等物の範囲の記載に基づいて定められるものである。
【符号の説明】
【００４４】
１０  ホースリール
２０  供給源からホースリールまでのホース
３０  ホースリール上に巻き上げられたホース
１００  ドラム
１１０  中心軸
１２０  スイベルコネクタ
１３０  中央流路
１４０  半径方向流路
１５０  ドラムストップ開口部
１６０  第１のドラム部分
１７０  第２のドラム部分
１８０  （ドラムの）底部
２００  スイベル
２４０  （ホースをスイベルにクランプする）クランプ
３００  コネクタ
３１０  第１の流路
３２０  第２の流路
３３０  角度
３４０  （ホースをコネクタに固定する）クランプ
４００  ハウジング
４１０  開口部
４２０  ハウジングの第１の部分
４３０  ハウジングの第２の部分
４４０  ハウジングの軸
４５０  ハウジングストップ開口部
４６０  スイベルを保持する手段
５１０  第１の方法ステップ、回転する工程
５２０  第２の方法ステップ、コネクタに接続する工程
５３０  整列する方法ステップ
５４０  挿入する方法ステップ
５５０  スイベルに接続する方法ステップ
５６０  取り付ける方法ステップ
【図１】
2019535615.tif 000003
【図２】
2019535615.tif 000004
【図３】
2019535615.tif 000005
【図４】
2019535615.tif 000006
【国際調査報告】
2019535615.tif 000007
2019535615.tif 000008
2019535615.tif 000009